(57)【特許請求の範囲】
【請求項１】
小出力の移動通信端末装置と、出力および感度を少なくとも２の値に変更可能な通信手段を備えたサービス提供装置を有するサービス提供システムとからなるチケットレス予約システムにおいて、
移動通信端末装置がマスタとなって、小出力および小感度の通信手段を備えたサービス提供システムにサービス提供を要求し、サービス提供システムがマスタとなって、通信手段の出力を微小出力に感度を極低感度に低下させて特定の移動通信端末装置にサービスを提供することを特徴とするチケットレス予約システム。
【請求項２】
サービス提供システムに小出力および低感度の通信手段を有する受付装置を設け、移動通信端末装置からサービス提供要求を受付装置が受け付け、サービス提供装置が移動通信端末装置にサービスを提供するようにした請求項１に記載のチケットレス予約システム。
【請求項３】
提供するサービスが、改札サービスである請求項１または請求項２に記載のチケットレス予約システム。
【請求項４】
提供するサービスが、乗車券や入場券などのチケット発売サービスである請求項１または請求項２に記載のチケットレス予約システム。
【請求項５】
提供するサービスが、物品の販売である請求項１または請求項２に記載のチケットレス予約システム。
【請求項６】
小出力の移動通信端末装置と、出力および感度を少なくとも２の値に変更可能な通信手段を備えたサービス提供装置を有するサービス提供システムとからなり、移動通信端末装置がマスタとなって、小出力および低感度の通信手段を備えたサービス提供システムにサービス提供を要求し、サービス提供システムがマスタとなって、通信手段の出力を微小出力に感度を極低感度に低下させて特定の移動通信端末装置にサービスを提供するようにしたチケットレス予約システムを構成するサービス提供装置において、
出力および感度を少なくとも２の値に変更可能な通信手段と、移動通信端末装置を呼び出す移動通信端末呼出機能とを備え、
通信端末装置からのサービス提供要求を通信手段の出力を小出力に感度を低感度にして受信し、
移動通信端末装置を捕らえると通信手段の出力を微小出力に感度を極低感度に低下させて当該通信端末装置と通信を行うようにしたことを特徴とするサービス提供装置。
【請求項７】
小出力の移動通信端末装置と、出力および感度を少なくとも２の値に変更可能な通信手段を備えたサービス提供装置と小出力および低感度の通信手段を有する受付装置を備えたサービス提供システムを有し、移動通信端末装置がマスタとなって、受付装置にサービス提供を要求し、サービス提供装置がマスタとなって、通信手段の出力を微小出力に感度を極低感度に低下させて特定の移動通信端末装置にサービスを提供するようにしたチケットレス予約システムを構成するサービス提供装置において、
出力および感度を少なくとも２の値に変更可能な通信手段と、移動通信端末装置を呼び出す移動通信端末呼出機能とを備え、
通信端末装置からのサービス提供要求を受けた後、出力を小出力に感度を低感度にした通信手段から通信端末装置を呼び出し、
移動通信端末装置を捕らえると通信手段の出力を微小出力に感度を極低感度にして当該通信端末装置と通信を行うようにしたことを特徴とするサービス提供装置。
【請求項８】
小出力の移動通信端末装置と、出力および感度を少なくとも２の値に変更可能な通信手段を備えたサービス提供装置を有するサービス提供システムとからなり、移動通信端末装置がマスタとなって、サービス提供システムにサービス提供を要求し、サービス提供システムがマスタとなって、通信手段の出力を微小出力に感度を極低感度に低下させて特定の移動通信端末装置にサービスを提供するようにしたチケットレス予約システムを構成する移動通信端末装置において、
サービス提供システムとの間にリンクを確立する処理と、サービス提供システムに対してサービス提供を要求する処理と、サービス提供装置との間リンクを確立する処理と、サービスを受ける処理を行なうことを特徴とする移動通信端末装置。
【発明の詳細な説明】
【０００１】
【発明の属する技術分野】
本発明は、例えば、駅構内において、現金を使用しないで乗車券などを購入したり、乗車券を購入せずに改札口を通過する、チケットレスゲーティングシステムなどに関する。
【０００２】
【従来の技術】
駅、空港、遊園地、劇場などの改札口で、出札口などで入手した乗車券（入場券）を持たずに改札口を通過できるようにしたチケットレスゲーティングシステムが提案されている。これは、ＩＣカードなどを用いて、使用者を特定し、乗車券（入場券）を発行したり料金を受け取ったりするとともに、乗車券（入場券）を持たずに、ＩＣカードを用いて改札口を通過するシステムとして提案されている。
【０００３】
上記のようなチケットレス予約システムでは、出札口に設けた券発行機に、ＩＣカードを示して券の発行を受けたり、改札口に設けたＩＣカード読取装置によってＩＣカードを読み取って改札口を通過するシステムであり、それぞれの装置にＩＣカードを挿入若しくはかざして示す必要があった。
【０００４】
【発明が解決しようとする課題】
本発明の目的は、小出力の移動通信端末装置（モバイル端末装置）を用いて乗車券などの発券処理や、改札口の通過などのゲーティング処理を行うようにしたチケットレス予約システムを提供することを目的とする。
【０００５】
【課題を解決するための手段】
上記課題を解決するために、本発明は、小出力の移動通信端末装置と、出力および感度を少なくとも２の値に変更可能な通信手段を備えたサービス提供装置を有するサービス提供システムとからなるチケットレス予約システムにおいて、移動通信端末装置がマスタとなって、小出力および低感度のサービス提供システムにサービス提供を要求し、サービス提供システムがマスタとなって、通信手段の出力を微小出力に感度を極低感度に低下させて特定の移動通信端末装置にサービスを提供するようにした。
【０００６】
本発明は、上記チケットレス予約システムにおいて、サービス提供システムに小出力および低感度の通信手段を有する受付装置を設け、移動通信端末装置からサービス提供要求を受付装置が受け付け、サービス提供装置が移動通信端末装置にサービスを提供するようにした。
【０００７】
本発明は、上記チケットレス予約システムにおいて、提供するサービスが、改札サービス、乗車券や入場券などのチケット発売サービス、物品の販売などとした。
【０００８】
本発明は、小出力の移動通信端末装置と、出力および感度を少なくとも２の値に変更可能な通信手段を備えたサービス提供装置を有するサービス提供システムとからなり、移動通信端末装置がマスタとなって、小出力および低感度のサービス提供システムにサービス提供を要求し、サービス提供システムがマスタとなって、通信手段の出力を微小出力に感度を極低感度に低下させて特定の移動通信端末装置にサービスを提供するようにしたチケットレス予約システムを構成するサービス提供装置において、出力および感度を少なくとも２の値に変更可能な通信手段と、移動通信端末装置を呼び出す移動通信端末呼出機能とを備え、通信端末装置からのサービス提供要求を通信手段の出力を小出力に感度を低感度にして受信し、移動通信端末装置を捕らえると通信手段の出力を微小出力に感度を極低感度に低下させて当該通信端末装置と通信を行うようにした。
【０００９】
本発明は、小出力の移動通信端末装置と、出力および感度を少なくとも２の値に変更可能な通信手段を備えたサービス提供装置と小出力および低感度の通信手段を有する受付装置を備えたサービス提供システムを有し、移動通信端末装置がマスタとなって、受付装置にサービス提供を要求し、サービス提供装置がマスタとなって、通信手段の出力を微小出力に感度を極低感度に低下させて特定の移動通信端末装置にサービスを提供するようにしたチケットレス予約システムを構成するサービス提供装置において、出力および感度を少なくとも２の値に変更可能な通信手段と、移動通信端末装置を呼び出す移動通信端末呼出機能とを備え、通信端末装置からのサービス提供要求を受けた後、出力を低出力に感度を低感度にした通信手段から通信端末装置を呼び出し、移動通信端末装置を捕らえると通信手段の出力を微小出力に感度を極低感度に低下させて当該通信端末装置と通信を行うようにした。
【００１０】
本発明は、小出力の移動通信端末装置と、出力および感度を少なくとも２の値に変更可能な通信手段を備えたサービス提供装置を有するサービス提供システムとからなり、移動通信端末装置がマスタとなって、サービス提供システムにサービス提供を要求し、サービス提供システムがマスタとなって、通信手段の出力を微小出力に感度を低感度に低下させて特定の移動通信端末装置にサービスを提供するようにしたチケットレス予約システムを構成する移動通信端末装置において、サービス提供システムとの間にリンクを確立する処理と、サービス提供システムに対してサービス提供を要求する処理と、サービス提供装置との間リンクを確立する処理と、サービスを受ける処理を行なうようにした。
【００１１】
【発明の実施の形態】
本発明にかかるチケットレス予約システムは、駅の改札のほかに博物館、映画館、遊園地、劇場などへの入場の他、切符や入場券の購入、さらに、自動販売機での商品購入などに使用することができる。
【００１２】
以下、本発明にかかるチケットレス予約システムの構成を、図面を用いて説明する。
【００１３】
チケットレス予約システムのシステム構成を図１に示す。チケットレス予約システムは、２つの構成要素からなる。ひとつはサービスを享受する移動通信端末装置（以下、モバイル端末ともいう）１であり、他方はシステムを構成してサービスを提供するサービス提供システム３である。サービス提供システム３は、例えば駅コンコースの照明器具などに設置した受付装置（以下、ディスパッチャともいう）３１と、サービス提供装置３２が、ＬＡＮ（以下、イーサネットともいう）３９を介して相互に接続されて構成される。図１に示すとおり、モバイル端末１、ディスパッチャ３１、サービス提供装置３２は、それぞれ無線通信手段７１，７３１，７３３を具備し、無線通信システム７上でモバイル端末１に対する全てのサービス提供を完結するように構成される。
【００１４】
モバイル端末装置１は、小出力（例えば１０ｍの範囲で０ｄＢｍ）の移動通信端末装置であり、ディスパッチャ３１は、小出力または低感度（例えば１０ｍの範囲で０ｄＢｍ）の通信手段を有する受付装置であり、サービス提供装置３３は、出力を小出力または低感度（例えば１０ｍの範囲で０ｄＢｍ）と微小出力または極低感度（例えば１ｍの範囲で−２０ｄＢｍ）の２つの値に変更可能な通信手段を有する装置として構成される。
【００１５】
モバイル端末１の表示画面１１の例および表示画面のツールバーに示された処理の内容を、図２を用いて説明する。図２は、モバイル端末１の表示装置１１に示された表示画面の例を示しており、表示内容の選択や、状況表示などが行われる。
【００１６】
ファイル表示を選択すると、通信システムの固定値、プログラムの状態、発行したＨＣＩコマンドとその返値、タイムスタンプなどのテキストベースのログファイル（ログ（開始）、ログ（停止）、ログ（新規））、ＨＣＩマクロ読み込みファイル、チケットファイル指定、印刷ファイル、終了ファイルなどを選択して表示することができる。
【００１７】
デバッグを選択すると、ＨＣＩコマンドと返値を全て表示する逐一表示、ＨＣＩコマンドをステップ実行するステップ実行、ＨＣＩコマンドをコンソールから手入力するコンソール入力を選択表示することができる。
【００１８】
デモを選択すると、デフォルトのディスパッチャとサービス提供装置を相手にしたデモを実行する自動、上記デモにガイダンス機能をつけたガイダンス付、無限にデモを繰り返すループバックを選択表示することができる。
【００１９】
ヘルプを選択すると、バージョン情報が表示される。
【００２０】
ディスパッチャ３１の表示画面３１１の例および表示画面のツールバーに示された処理の内容を、図３を用いて説明する。図３は、ディスパッチャ３１の表示装置３１１に示された表示画面の例を示しており、表示内容の選択や、状況表示などが行われる。
【００２１】
ファイル表示を選択すると、通信システムの固定値、プログラムの状態、発行したＨＣＩコマンドとその返値、タイムスタンプ、イーサネット上の転送内容などのテキストベースのログファイル（ログ（開始）、ログ（停止）、ログ（新規））、ＨＣＩマクロ読み込みファイル、チケットファイル指定、印刷ファイル、終了ファイルなどを選択して表示することができる。
【００２２】
デバッグを選択すると、ＨＣＩコマンドと返値を全て表示する逐一表示、ＨＣＩコマンドをステップ実行するステップ実行、ＨＣＩコマンドをコンソールから手入力するコンソール入力を選択表示することができる。
【００２３】
デモを選択すると、チケットを何でも通す判定省略、更新中のモバイル端末を廃棄し待ち受け状態に復帰する端末削除、判定中のチケットを廃棄し待ち受け状態に復帰する判定中止を選択表示することができる。
【００２４】
ヘルプを選択すると、バージョン情報が表示される。
【００２５】
サービス提供端末３３の表示画面３３１の例および表示画面のツールバーに示された処理の内容を、図４を用いて説明する。図４は、サービス提供装置３３の表示装置３３１に示された表示画面の例を示しており、表示内容の選択や、状況表示などが行われる。
【００２６】
ファイル表示を選択すると、通信システムの固定値、プログラムの状態、発行したＨＣＩコマンドとその返値、タイムスタンプ、イーサネット上の転送内容などのテキストベースのログファイル（ログ（開始）、ログ（停止）、ログ（新規））、ＨＣＩマクロ読み込みファイル、チケットファイル指定、印刷ファイル、終了ファイルなどを選択して表示することができる。
【００２７】
デバッグを選択すると、ＨＣＩコマンドと返値を全て表示する逐一表示、ＨＣＩコマンドをステップ実行するステップ実行、ＨＣＩコマンドをコンソールから手入力するコンソール入力を選択表示することができる。
【００２８】
デモを選択すると、サービス停止する停止、待ち行列の端末を削除する削除を選択表示することができる。
【００２９】
ヘルプを選択すると、バージョン情報が表示される。
【００３０】
このようなシステムにおける、モバイル端末１、ディスパッチャ３１、サービス提供装置３３でのサービス処理の一連の動作の概要を図５を用いて説明する。図中、楕円は状態を示し、縦の矢印の順に遷移する。遷移状態は無線通信システム７やイーサネット３９上での通信をトリガするほか、自動的な遷移もある。
【００３１】
例えば、駅構内においてチケットを購入せずに改札口を通過しようとするモバイル端末１は、サービスを享受すべくコンコースに設置された最も近くにあるディスパッチャ３１を呼び出す（ステップＳ１１）、この時モバイル端末１がマスタとなり、ディスパッチャ３１がスレーブとなる。モバイル端末１上では、ディスパッチャ３１の呼び出しからサービス提供の完了までの一連の動作に対応する状態を持つプログラムが動作している。
【００３２】
ディスパッチャ３１は、常時モバイル端末１からの呼び出しを待ち受けており（ステップＳ３１）、モバイル端末１からの呼び出しを受けると呼び出しを受け付け（ステップＳ３２）、モバイル端末１との間で無線通信システム７上にリンクを確立する。モバイル端末１は、ディスパッチャ３１との間にリンクが確立すると、改札口通過許可を求めるサービス要求を送信し（ステップＳ１２）た後、待機状態に移行し（ステップＳ１３）スレーブとなって、サービス提供装置（マスタ）３３からの無線通信システム７上での呼び出しを待つ。
【００３３】
ディスパッチャ３１は、モバイル端末１のサービス要求の正当性を判定して（ステップＳ３３）、この要求を受け付け、イーサネット３９を介してサービス提供装置３３にモバイル端末１の情報を通知する（ステップＳ３４）ことで、サービス提供装置３３の待ち行列への登録を完了する。
【００３４】
通信手段の出力を小出力または感度を低感度にしているサービス提供装置３３は、ディスパッチャ３１からの通知があるのを待機しており（ステップＳ５１）、通知を受けると自己の待ち行列に登録し、順番がくると当該モバイル端末１を呼び出し（ステップＳ５２）、無線通信７上にリンクを確立した後、当該モバイル端末１の接近を監視する。
【００３５】
モバイル端末１は、サービス提供装置３３との間にリンクが確立する（ステップＳ１４）と、サービス待ちの状態に移行する（ステップＳ１５）。
【００３６】
サービス提供装置３３は、近傍にモバイル端末１が接近したことを検知すると（ステップＳ５３）、通信手段の出力を微小出力または感度を極低感度に低下させて例えば最短距離の料金を引き去る処理を実行するとともに改札口のゲートを開き、通過を許可するサービスを提供する（ステップＳ５４）。
【００３７】
モバイル端末１は、予めチケットを購入することなく、かつストアードフェアカードなどを用いずに、サービスの提供を受けて改札口を通過する。
【００３８】
モバイル端末１は、サービス要求や電子チケットなどをディスパッチャに送付した後、ディスパッチャからの切断要求に従いリンクをきる。
【００３９】
サービス提供装置３３は、通信手段の出力を小出力または感度を低感度に戻して次ぎのモバイル端末に対する処理に対応する。
【００４０】
このような一連の処理において、モバイル端末１と、ディスパッチャ３１またはサービス提供装置３３は、一方がマスタとなり他方がスレーブとなって、一連の処理を実行する。
【００４１】
図５の処理におけるモバイル端末１における表示画面の例を、図６を用いて説明する。図６において、左は、図５におけるモバイル端末１の状態を示し、右はモバイル端末１の画面表示の例を示している。
【００４２】
まず、ディスパッチャ３１の圏内に入ると、モバイル端末１の表示画面には、「“Ｗｅｌｃｏｍｅ！！”」が表示される。
【００４３】
呼び出し状態（ステップＳ１１）では、「“状態：呼び出し中  Ｉｎｑｕｉｙ”、“端末のＢＤ  ＡＤＤＲ  ０ｘ００００００００００１”、“ディスパッチャのＢＤ  ＡＤＤＲ  ０ｘ００００００１１１１”」が表示され、次いで「“状態：呼び出し中  Ｐａｇｅ”、“端末のＢＤ  ＡＤＤＲ  ０ｘ００００００００００１”、“ディスパッチャのＢＤ  ＡＤＤＲ  ０ｘ００００００１１１１”」、「“状態：呼び出し中  リンク確立”、“端末のＢＤ  ＡＤＤＲ  ０ｘ００００００００００１”、“ディスパッチャのＢＤ  ＡＤＤＲ  ０ｘ００００００１１１１”」が表示される。
【００４４】
次いで、サービス要求状態（ステップＳ１２）では、「“状態：サービス要求中”、“端末のＢＤ  ＡＤＤＲ  ０ｘ００００００００００１”、“ディスパッチャのＢＤ  ＡＤＤＲ  ０ｘ００００００１１１１”、“チケットを選択して下さい  １  ｌＡｘＶｂＦｇ４ｋｌ  ２  ＬｐＯ０ｊＨｊｊｌｋｄｌｉｏ”」が表示される。チケットを選択すると「“状態：サービス要求中  チケット送付中”、“端末のＢＤ  ＡＤＤＲ  ０ｘ００００００００００１”、“ディスパッチャのＢＤ  ＡＤＤＲ  ０ｘ００００００１１１１”、“選択されたチケット  １  ｌＡｘＶｂＦｇ４ｋｌ”」が表示され、リンクがきれると待機状態（ステップＳ１３）に移行する。
【００４５】
待機状態（ステップＳ１３）では、ディスパッチャの圏外に出てリンクが切れると、「“状態：待機中  リンクが切れました”、“端末のＢＤ  ＡＤＤＲ  ０ｘ００００００００００１”」 を表示する。
【００４６】
サービス提供装置３３の圏内に入り、サービス提供装置３３から呼び出しを受けると、モバイル端末１はサービス端末装置３３との間にリンクを確立する状態になる。リンク確立状態（ステップＳ１４）では、「“状態：リンク確立中  Ｉｎｑｕｉｒｙ”、“端末のＢＤ  ＡＤＤＲ  ０ｘ００００００００００１”、“サービス提供装置のＢＤ  ＡＤＤＲ  ０ｘ００１１１００１１”」を表示し、次いで「“状態：リンク確立中  Ｐａｇｅ”、“端末のＢＤ  ＡＤＤＲ  ０ｘ００００００００００１”、“サービス提供装置のＢＤ  ＡＤＤＲ  ０ｘ００１１１００１１”」を表示して、サービス待ちの状態になる。
【００４７】
サービス待ちの状態（ステップＳ１５）では、「“状態：サービス待ち中”、“端末のＢＤ  ＡＤＤＲ  ０ｘ００００００００００１”、“サービス提供装置のＢＤ  ＡＤＤＲ  ０ｘ００１１１００１１”」を表示した後、「“Ｓｅｅ  Ｙｏｕ  Ｓｏｏｎ！！”」と表示される。サービスの提供を受ると、一連の処理を終了する。
【００４８】
図５の処理におけるディスパッチャ３１における表示画面の例を、図７を用いて説明する。図７において、左は、図５におけるディスパッチャ３１の状態を示し、右はディスパッチャ３１の画面表示の例を示している。
【００４９】
まず、ディスパッチャ３１表示画面には、「“Ｉ  ｄｉｓｕｐａｔｃｈ  ｙｏｕ！”」が表示される。
【００５０】
待ち受け状態（ステップＳ３１）では、「“状態：待ち受け中”」が表示され、次いで「“状態：待ち受け中  Ｉｎｑｕｉｙ”、“端末のＢＤ  ＡＤＤＲ  ０ｘ００００００００００１」が表示される。さらに、「“状態：待ち受け中  Ｐａｇｅ”、“端末のＢＤ  ＡＤＤＲ  ０ｘ００００００００００１”」、「“状態：待ち受け中  リンク確立”、“端末のＢＤ  ＡＤＤＲ  ０ｘ００００００００００１”」が表示される。
【００５１】
受け付け状態（ステップＳ３２）では、「“状態：受付中  チケット受付”、“端末のＢＤ  ＡＤＤＲ  ０ｘ００００００００００１”、“チケット番号  ｌＡｘＶｂＦｇ４ｋｌ”」が表示される。
【００５２】
判定状態（ステップＳ３３）では、「“状態：判定中  結果待ち”、“端末のＢＤ  ＡＤＤＲ  ０ｘ００００００００００１”」 を表示する。
【００５３】
通知状態（ステップＳ３４）では、「“状態：通知中  待ち行列に登録中”、“端末のＢＤ  ＡＤＤＲ  ０ｘ００００００００００１”」を表示し、ステップＳ３１に戻って待ち受け状態となる。
【００５４】
図５の処理におけるサービス提供装置３３における表示画面の例を、図８を用いて説明する。図８において、左は、図５におけるサービス提供装置３３の状態を示し、右はサービス提供装置３３の画面表示の例を示している。
【００５５】
まず、サービス提供装置３３の表示画面には、「“Ｉ  ｐｒｏｖｉｄｅ  ｓｅｒｖｉｃｅ”」が表示される。
【００５６】
待ち受け状態（ステップＳ５１）では、「“状態：待ち受け中”」が表示され、ディスパッチャ３１から通知を受けると「“状態：待ち受け中  待ち行列の登録中”、“端末のＢＤ  ＡＤＤＲ  ０ｘ００００００００００１”」が表示されモバイル端末１の要求を待ち行列に登録する。待ち行列があるときには、待ち行列の先頭を選択して「“状態：待ち受け中  先頭を選択”、“端末のＢＤ  ＡＤＤＲ  ０ｘ００００００００００１”」を表示する。
【００５７】
待ち行列のないときまたは先頭を選択した後の呼び出し状態（ステップＳ５２）では、「“状態：呼び出し中  Ｉｎｑｕｉｒｙ”、“端末のＢＤ  ＡＤＤＲ  ０ｘ００００００００００１”」を表示し、「“状態：呼び出し中  Ｐａｇｅ”、“端末のＢＤ  ＡＤＤＲ  ０ｘ００００００００００１”」を表示しリンク確立処理を実行する。リンクが確立すると「“状態：呼び出し中  リンク確立”、“端末のＢＤ  ＡＤＤＲ  ０ｘ００００００００００１”」を表示する。
【００５８】
次いで「“状態：呼び出し中  サービス準備中”、“端末のＢＤ  ＡＤＤＲ  ０ｘ００００００００００１”」 を表示し、接近検知状態（ステップＳ５３）に移行して接近を検知する状態になるとともにサービス提供の準備を行い、「“状態：接近検知中  サービス準備中”、“端末のＢＤ  ＡＤＤＲ  ０ｘ００００００００００１”」を表示する。その後、モバイル端末１の接近を検知すると、サービス提供状態（ステップＳ５４）に移行し、「“状態：サービス提供中”、“端末のＢＤ  ＡＤＤＲ  ０ｘ００００００００００１”」を表示して、サービスを提供する。
【００５９】
一方、ステップＳ５２におけるリンク確立状況表示の後、サービス準備が完了すると、「“状態：接近検知中  サービス準備完了”、“端末のＢＤ  ＡＤＤＲ０ｘ００００００００００１”」を表示する。接近検知状態（ステップＳ５３）に移行し、「“状態：接近検知中”、“端末のＢＤ  ＡＤＤＲ  ０ｘ００００００００００１”」を表示し、その後、モバイル端末１の接近を検知すると、サービス提供状態（ステップＳ５４）に移行し、「“状態：サービス提供中”、“端末のＢＤ  ＡＤＤＲ  ０ｘ００００００００００１”」を表示して、サービスを提供する。
【００６０】
図９を用いて、ディスパッチャ３１およびサービス提供装置３３の処理を複数に分割しプロセス間通信を用いて複数のモバイル端末１Ａ，１Ｂへサービスを提供する場合について説明する。
【００６１】
この例では、ディスパッチャ３１は、プロセスを、待ち受け／受付プロセスと、判定／通知プロセスに分割しており、サービス提供装置地３３は、プロセスを待ち受け／呼び出しプロセスと、サービス提供プロセスに分割している。
【００６２】
モバイル端末１Ａがディスパッチャ３１を呼び出すと（ステップＳ１１Ａ）、待ち受け中（ステップＳ３１）のディスパッチャ３１は呼出しＡを受信すると、呼出しＡを受け付け（ステップＳ３２）、ディスパッチャ３３は、その旨をモバイル端末１Ａに通知する（受付Ａ）とともに、続く処理をプロセス間通信（ステップＳ３２Ｔ）により、判定／通知プロセスに渡し、次ぎの呼び出しの待ち受け（ステップＳ３１）に戻る。
【００６３】
呼び出しが受け付けられたモバイル端末１Ａは、ディスパッチャ３１にサービスの提供を要求（サービス要求Ａ）し（ステップＳ１２Ａ）、待機状態に移行する（ステップＳ１３Ａ）。
【００６４】
一方、モバイル端末１Ｂがディスパッチャ３１を呼び出すと（ステップＳ１１Ｂ）、待ち受け中（ステップＳ３１）のディスパッチャ３１は呼出しＢを受信すると、呼出しＢを受け付け（ステップＳ３２）、ディスパッチャ３３は、その旨をモバイル端末１Ｂに通知する（受付Ｂ）とともに、続く処理をプロセス間通信（ステップＳ３２Ｔ）により、判定／通知プロセスに渡し、次ぎの呼び出しの待ち受け（ステップＳ３１）に戻る。
【００６５】
呼び出しが受け付けられたモバイル端末１Ｂは、ディスパッチャ３１にサービスの提供を要求（サービス要求Ｂ）し（ステップＳ１２Ｂ）、待機状態に移行する（ステップＳ１３Ｂ）。
【００６６】
モバイル端末１Ａからサービス要求Ａを受けたディスパッチャ３１は、要求の内容を判定し（ステップＳ３３）、判定結果Ａをイーサネットを介してサービス提供装置３３へ通知した（ステップＳ３４）後、ステップＳ３３に戻り次ぎの判定処理に備える。
【００６７】
同様に、モバイル端末１Ｂからサービス要求Ｂを受けたディスパッチャ３１は、要求の内容を判定し（ステップＳ３３）、判定結果Ｂをイーサネットを介してサービス提供装置３３へ通知した（ステップＳ３４）後、ステップＳ３３に戻り次ぎの判定処理に備える。
【００６８】
判定結果Ａを受けたサービス提供装置３３は、待ち受け／呼び出しプロセスで呼び出し処理を実行して（ステップＳ５２）、モバイル端末１Ａを呼び出す（呼出しＡ）とともに、プロセス間通信Ａによって、処理をサービス提供プロセスに渡し、次ぎの判定結果を待ち受ける。
【００６９】
モバイル端末１Ａは、呼出しＡを受けるとサービス提供装置３３との間にリンクを確立し（ステップＳ１４Ａ）、サービス待ちの状態となる（ステップＳ１５Ａ）。
【００７０】
サービス提供装置３１のサービス提供プロセスでは、モバイル端末１Ａの接近を検知すると（ステップＳ５３）、モバイル端末１Ａにサービスを提供した（ステップＳ５４）後、ステップＳ５３に戻り、次ぎの接近検知に備える。
【００７１】
一方、モバイル端末１Ｂは、呼出しＢを受けるとサービス提供装置３３との間にリンクを確立し（ステップＳ１４Ｂ）、サービス待ちの状態となる（ステップＳ１５Ｂ）。
【００７２】
サービス提供装置３１のサービス提供プロセスでは、モバイル端末１Ｂ接近を検知すると（ステップＳ５３）、モバイル端末１Ｂにサービスを提供した（ステップＳ５４）後、ステップＳ５３に戻り、次ぎの接近検知に備える。
【００７３】
このようにして、ディスパッチャ３１およびサービス提供装置３３は、複数のモバイル端末１Ａ，１Ｂに対して、受付けからサービス提供までの処理を並行してかつ連続して行うことができる
【００７４】
一方、モバイル端末Ａからの呼び出しに対処した後待ち受け中のディスパッチャに、他のモバイル端末Ｂから呼び出しがあると、ディスパッチャは、待ち受け／受付プロセスで呼び出しを受け付け、その旨をモバイル端末Ｂに通知するとともに、続く処理をプロセス間通信により、判定／通知プロセスに渡し、次ぎの呼び出しの待ち受けに戻る。
【００７５】
呼び出しが受け付けられたモバイル端末Ｂは、ディスパッチャにサービスの提供を要求し、待機状態に移行する。
【００７６】
サービス要求を受けたディスパッチャは、要求の内容を判定し、判定結果をイーサネットを介してサービス提供装置へ通知する。
【００７７】
判定結果を受けたサービス提供装置は、待ち受け／呼び出しプロセスで呼び出し処理を実行してモバイル端末ＡＢ呼び出すとともに、プロセス間通信によって、サービス提供プロセスに渡し、次ぎの判定結果を待ち受ける。
【００７８】
モバイル端末Ｂは呼び出しを受けるとサービス提供装置との間にリンクを確立し、サービス待ちの状態となる．
【００７９】
サービス提供プロセスでは、モバイル端末Ｂの接近を検知するとモバイル端末Ｂにサービスを提供する。
【００８０】
このようにしてディスパッチャやサービス提供装置は、プロセス間通信を用いたｍある地タスクにより、一時に複数のモバイル端末の受付と、複数のモバイル端末へのサービス提供を行うことができる。
【００８１】
上記のチケットレス予約システムを、鉄道における切符を発行せずに改札を通過するシステム（チケットレス改札システム）に用いた場合の具体的な実施例を、図１０以降を用いて説明する。
【００８２】
図１０は、この実施例に駅構内の状況を模式的に示す図である。駅構内には、複数のディスパッチャ３１−１〜３１−５が、例えば照明器具と一体化されて設けられている。
【００８３】
駅構内には、みどりの窓口、待合室、ディスパッチゾーン、ラッチ（改札口）ゾーン、ラッチゾーンとディスパッチゾーンを結ぶエントランスゾーン、ラッチ内のロビーゾーンが設けられ、みどりの窓口には、ディスパッチャ３１−１と、従来型のみどりの窓口や、従来型の券売機５１の他に、本発明のサービス提供装置として構成される発券機３３Ｂが複数台設けられている。待合室には、複数台のディスパッチャ３１−２〜３１−４と、複数台の発券機５２からなる電子化されたみどりの窓口（ｅ−みどりの窓口）と、本発明のサービス提供装置として構成される自動販売機３３Ｃ−１〜３３Ｃ−３が設けられている。ディスパッチゾーンには、ディスパッチャ３１−５が設けられ、ラッチゾーンには、サービス提供装置３３とサービス提供装置３３によって動作する改札機３５−１〜３５−５が設けられている。ディスパッチャ３１は、例えば、１０ｍの範囲で０ｄＢｍの感度を有している。
【００８４】
このような構成のチケットレス予約システムの動作を、図１１を用いて説明する。この例では、予めモバイル端末１に、電子チケットが購入されている場合で説明する。
【００８５】
図１１（Ａ）に示すように、モバイル端末１がディスパッチゾーンにあるときに、モバイル端末１とディスパッチャ３１との間で、問合せ（Ｉｎｑｕｉｒｙ）、呼出し（Ｐａｇｅ）、ＳＤＰの処理が行われた後、ディスパッチャ３１からの電子チケットの要求に対し、モバイル端末１から電子チケットを提示すると、ディスパッチャ１から所定の有効期間を有する通行暗号（バウチャ）の発行がなされ、リンクが切断される。この一連の処理は、モバイル端末１がマスタとなって実行される。
【００８６】
モバイル端末がエントランスゾーンに到達すると、図１１（Ｂ）に示すように、サービス提供装置３３からモバイル端末１に対して問合せ（Ｐａｇｅ）が行われ、通行暗号（バウチャ）の問合せが行われる。モバイル端末１は、通行暗号（バウチャ）を連呼し、通過準備が行われる。この処理は、サービス提供装置３１がマスタとなって行われる。この時点では、サービス提供装置３１は、１０ｍの範囲で０ｄＢｍの感度を有している。
【００８７】
さらに、モバイル端末１がラッチゾーンに進むと、図１１（Ｂ）に示すように、サービス提供装置３１は１ｍの範囲で−２０ｄＢｍの狭い範囲でモバイル端末１を捕らえ、改札機３５に設けた光センサが、モバイル端末１（所持者）の侵入を検知すると、サービス提供装置３３は通行暗号（バウチャ）を問合せ、モバイル端末１が連呼する通過暗号（バウチャ）を検出して、通過者を特定して、改札機３５のゲートを開いたままにするなどの通過処理を行う。この処理はサービス提供装置３３がマスタとなって行われる。
【００８８】
図１１（Ｄ）に示すように、改札機３５の光センサがモバイル端末１が通過したことを検出すると、サービス提供装置３３は、交信範囲を１０ｍ０ｄＢｍに広げ、通過暗号（バウチャ）を無効化して、通過処理を終了する。
【００８９】
上記の例では、予め電子チケットが購入されている例を示したが、予め、チケットレスで対応するように契約がなされている場合には、図１１（Ａ）における電子チケットの要求に対して、ＩＤ番号や暗証番号を回答することによって、その後の処理において、改札機を通過して入場した時点で初乗り運賃を引き去り、目的地で改札機を通過する時点で運賃を精算する電子決済方法などにより、予め電子チケットを購入する手間を省くことができる。
【００９０】
図１２を用いて、劇場などのディスパッチゾーンが設けられない場合の処理を説明する。モバイル端末１がエントランスゾーンに入ると、モバイル端末１とサービス提供装置３３との間で、問合せ（Ｉｎｑｕｉｒｙ）、呼出し（Ｐａｇｅ）、ＳＤＰの処理が行われた後、ディスパッチャ３１からの電子チケットの要求に対し、モバイル端末１から電子チケットが提示されると、ディスパッチャ１から所定の有効期間を有する通行暗号（バウチャ）が発行される。この処理は、モバイル端末１がマスタとなりサービス提供装置３３がスレーブとなって行われる。通行暗号を発行した後、サービス提供装置３３から主従交換要求（Ｒｏｌｅ  Ｃｈａｎｇｅ  Ｒｅｑｕｅｓｔ）が送信され、モバイル端末１がスレーブとなり、サービス提供装置３３がマスタとなる。この時点では、サービス提供装置３１は、１０ｍの範囲で０ｄＢｍの感度を有している。
【００９１】
モバイル端末１が、ラッチゾーンに進むと、図１２（Ｂ）に示すように、サービス提供装置３１は１ｍの範囲で−２０ｄＢｍの狭い範囲でモバイル端末１を捕らえ、サービス提供装置３３からモバイル端末１に対して通行暗号（バウチャ）の問合せが行われ、モバイル端末１は、通行暗号（バウチャ）を連呼し、発券準備が行われる。改札機３５に設けた光センサが、モバイル端末１（所持者）の侵入を検知すると、サービス提供装置３３は通行暗号（バウチャ）を問合せ、モバイル端末１が連呼する通過暗号（バウチャ）を検出して、通過者を特定して、初乗り運賃の引き去りなどの発券処理を行う。この処理はサービス提供装置３３がマスタとなって行われる。
【００９２】
図１２（Ｃ）に示すように、改札機３５の光センサがモバイル端末１が通過したことを検出すると、サービス提供装置３３は、交信範囲を１０ｍ０ｄＢｍに広げ、電子チケットを無効化して、通過処理を終了する。
【００９３】
このようにして、現金およびチケットを持たずに開札を通過することが可能となる。
【００９４】
図１３に示すように、本発明によれば、サービス提供装置３３からモバイル端末１に対して、上記以外のサービスを提供することができる。図１３は、モバイル端末１の画面に表示される例を示している。
【００９５】
例えば、モバイル端末１が駅に到着し、ディスパッチゾーンにある時点では、ディスパッチャ３１との対話によって、図１３（Ａ）に例示するように、最も近い時刻における列車情報や、他線区の運行情報根戸を表示する情報サービス画面を表示する。
【００９６】
図１３（Ｂ）に例示するように、モバイル端末１がラッチゾーンに入ると、サービス提供装置３３との対話によって、有効期限が平成１２年の１０月２日の東京−戸塚間の定期券であるなどの改札内容を表すゲーティング画面を表示する。
【００９７】
また、ｅ−みどりの窓口において、サービス提供装置３３である自動発券機から電子チケットを予約する場合には、サービス提供装置３３との対話によって、図１３（Ｃ）に例示する、空席照会画面などを表示する。
【００９８】
サービス提供装置３３として自動販売機を設置したキオスクにおいて、ｉＯカードなどを購入する場合には、サービス提供装置３３との対話によって、図１３（Ｄ）に例示する買物画面を表示する。
【００９９】
本発明にかかるチケット予約システムの、他の実施の形態を説明する。この実施の形態は、モバイル端末１との対話は、ディスパッチャに代わるアクセスポイントで行い、チケットの予約と電子決済を行うようにした態様である。
【０１００】
この実施の形態にかかるチケットレス予約システムは、２つの構成要素からなる。ひとつはサービスを享受するモバイル端末１であり、他方はサービスを提供するサービス提供システム３である。サービス提供システム３は、アクセスポイント３０と、予約センター３２と、チケット配信サーバ３５と、決済銀行３６と、信販会社３７のそれぞれのＰＣがイーサネットまたはインターネット若しくは専用線３９を介して接続されている。モバイル端末１とアクセスポイント３０は、無線通信手段７１，７３０を具備し、無線通信システム７上で、モバイル端末１に対する全てのサービス提供を完結する。
【０１０１】
アクセスポイント３０は、モバイル端末１のサービス予約を受け付ける。アクセスポイント３０は、イーサネットや専用線３９を利用して予約センター３２に紹介し予約業務を行う。モバイル端末１に空席情報（商品）や料金・運賃を提示し予約を促す。モバイル端末１からの予約依頼と決済情報に基づき、アクセスポイント３０は決済銀行３６ないし信販会社３７に決済可能か照会を行う。同時に、依頼された商品のレコードをロックし保留状態にするよう予約センタ３２に依頼する。照会の結果決済可能と判断されると、ロックしていた商品のレコードに決済情報を予約済みとを書きこむ。この後、当該レコードの情報をチケット配信サーバ３５が参照し、電子チケットを生成し、暗号化の上アクセスポイント３０に送付する。アクセスポイント３０は、この電子チケットを無線通信システム７上でモバイル端末１に転送し、予約業務を終了する。
【０１０２】
モバイル端末１は、サービスを享受すべくアクセスポイント３０を呼び出し、無線通信システム７上にリンクを確立する。このときモバイル端末１がマスタとなる。サービス要求を行った時点で、マスタとスレーブの立場はアクセスポイント３０からの要求で切り替える。アクセスポイントから送られてきた後、空席（商品）情報や料金・運賃を表示して、ユーザの選択を促す。予約が完了すると、アクセスポイント３０から電子チケットが送付され、モバイル端末１は内部のストレージに保存して一連の予約動作を終了する。
【０１０３】
【発明の効果】
本発明によれば、ディスパッチャ３１は、広い範囲でモバイル端末１と通信することができ、改札機３５に入るずっと手前からサービス提供装置３３にサービスの提供を要求することができる。さらに、サービス提供装置は、状況によって、通信範囲を広げたり狭めたりすることができるので、特定の改札機３５や販売機と対話することが可能となり使用者を特定することができる。
【図面の簡単な説明】
【図１】本発明にかかるチケットレス予約システムの構成の概要を説明するシステム構成図。
【図２】モバイル端末の表示装置の表示例を説明する図。
【図３】ディスパッチャの表示装置の表示例を説明する図。
【図４】サービス提供装置の表示装置の表示例を説明する図。
【図５】図１に示したチケットレス予約システムにおける処理の流れを説明する処理流れ図。
【図６】モバイル端末における処理の流れと表示装置に表示される内容を説明する図。
【図７】ディスパッチャにおける処理の流れと表示装置に表示される内容を説明する図。
【図８】サービス提供装置における処理の流れと表示装置に表示される内容を説明する図。
【図９】図１に示したチケットレス予約システムにおける他の処理の流れを説明する処理流れ図。
【図１０】本発明にかかるチケット予約装置を駅に適用した場合の構成を説明する図。
【図１１】改札処理の態様を説明する図。
【図１２】改札処理の他の態様を説明する図。
【図１３】モバイル端末におけるサービス提供の例を説明する図。
【図１４】本発明の第２の実施の形態にかかるチケットレス予約システムの構成の概要を説明するシステム構成図。
【符号の説明】
１  モバイル端末（移動通信端末装置）
１１  表示画面
３  サービス提供システム
３１  ディスパッチャ（受付装置）
３２  予約センタ
３３  サービス提供装置
３５  チケット配信サーバ
３６  決済銀行
３７  信販会社
３９  通信回線（イーサネット、ＬＡＮ、インターネット
７  無線通信システム
７３０，７３１，７３３  通信手段
【図１】
0003744786.tif 000002
【図２】
0003744786.tif 000003
【図３】
0003744786.tif 000004
【図４】
0003744786.tif 000005
【図５】
0003744786.tif 000006
【図６】
0003744786.tif 000007
【図７】
0003744786.tif 000008
【図８】
0003744786.tif 000009
【図９】
0003744786.tif 000010
【図１０】
0003744786.tif 000011
【図１１】
0003744786.tif 000012
【図１２】
0003744786.tif 000013
【図１３】
0003744786.tif 000014
【図１４】
0003744786.tif 000015